(57)【要約】【課題】嵌合ガタを吸収することが可能な光コネクタを提供する。【解決手段】光コネクタは、一方より相手側光コネクタのハウジングが嵌合する第一ハウジングと、この第一ハウジングの他方から嵌合する第二ハウジングと、第二ハウジングに対し直接又は間接的に装着されるＦＯＴとを備える。第一ハウジングをコネクタハウジング２２、第二ハウジングを光ハウジング２４とすると、コネクタハウジング２２と光ハウジング２４との前記嵌合に係る嵌合構造は、捻り込みによってロック状態へ移行する捻り込みロック部４０と、捻り込みの最中にコネクタハウジング２２及び光ハウジング２４の引き寄せが生じ締め上げる引き寄せ締め上げ部４２とを含む。【選択図】図１０
2006251762.tif 000002
【特許請求の範囲】
【請求項１】
一方より相手側光コネクタのハウジングが嵌合する第一ハウジングと、該第一ハウジングの他方から嵌合する第二ハウジングと、該第二ハウジングに対し直接又は間接的に装着されるＦＯＴ（Fiber Optic Transceiver ）とを備える光コネクタにおいて、
前記第一ハウジングと前記第二ハウジングとの前記嵌合に係る嵌合構造は、捻り込みによってロック状態へ移行する捻り込みロック部と、前記捻り込みの最中に前記第一ハウジング及び前記第二ハウジングの引き寄せが生じ締め上げる引き寄せ締め上げ部とを含む
ことを特徴とする光コネクタ。
【請求項２】
請求項１に記載の光コネクタにおいて、
前記嵌合構造は、前記捻り込みに係る方向を規制するための凹凸形状の捻り込み方向規制部を含む
ことを特徴とする光コネクタ。
【請求項３】
請求項１又は請求項２に記載の光コネクタにおいて、
前記嵌合構造は、前記捻り込みにより潰れが生じるリブを含む
ことを特徴とする光コネクタ。
【発明の詳細な説明】
【技術分野】
【０００１】
本発明は、ＦＯＴ（Fiber Optic Transceiver ）を備える光コネクタに関する。
【背景技術】
【０００２】
従来より、光学的な接続を行う際には、光コネクタが用いられている。光コネクタとしては、光コネクタ単独のものや、光コネクタ及び電気コネクタを一体化したハイブリッドコネクタが知られている。光コネクタ単独のものは、従来より数多く提案されていることから、以下では下記特許文献１に開示されたハイブリッドコネクタについて簡単に説明する。
【０００３】
図２４において、ハイブリッドコネクタ１は、基板２に取り付けられるタイプのものであって、光接続部分３及び電気接続部分４を有するコネクタハウジング５と、このコネクタハウジング５の光接続部分３に嵌合する光ハウジング６と、コネクタハウジング５の電気接続部分４に装着されるとともに基板２に接続固定されるＰＣＢ端子７と、光ハウジング６に装着される導光部材（スリーブ）８と、ＦＯＴケース９及びシールドケース１０を介して光ハウジング６に装着される発光側ＦＯＴ（Fiber Optic Transceiver ）１１及び受光側ＦＯＴ１２と、を備えて構成されている。
【０００４】
コネクタハウジング５には、相手側光コネクタ（図示省略）のハウジングが嵌合するようになっている。光ハウジング６には、コネクタハウジング５に対する嵌合用の嵌合凸部１３が形成されている。嵌合凸部１３は、係止突起形状に形成されている。コネクタハウジング５には、嵌合凸部１３が嵌合する嵌合凹部（図示省略）が形成されている。嵌合凹部（図示省略）は、嵌合凸部１３の係止突起形状部分が引っ掛かるように形成されている。光ハウジング６は、コネクタハウジング５の後方から前方に向けて真っ直ぐに移動させることにより、嵌合凸部１３が嵌合凹部（図示省略）に引っ掛かって嵌合するようになっている。
【０００５】
光ハウジング６に装着される発光側ＦＯＴ１１には、発光素子（図示省略）を有するパッケージ部１４と、基板２に接続固定される複数のリードフレーム１５とが設けられている。同じく光ハウジング６に装着される受光側ＦＯＴ１２には、受光素子（図示省略）を有するパッケージ部１４と、基板２に接続固定される複数のリードフレーム１５とが設けられている。
【特許文献１】特開２００１−１６８３８０号公報  （第５頁、第１図）
【発明の開示】
【発明が解決しようとする課題】
【０００６】
ところで、上記従来技術にあっては、嵌合凸部１３と嵌合凹部（図示省略）との嵌合構造に関して次のような問題点を有している。すなわち、嵌合凸部１３を嵌合凹部（図示省略）に引っ掛けるためには、ある程度の嵌合ガタが必要（嵌合凸部１３よりも嵌合凹部を前後方向に少しだけ大きく形成する）になることから、光ハウジング６がコネクタハウジング５に対して前後方向にガタ付いてしまうという問題点を有している。
【０００７】
光ハウジング６が前後方向にガタ付いてしまうということは、発光側ＦＯＴ１１及び受光側ＦＯＴ１２もコネクタハウジング５に対して前後方向にガタ付いてしまうことになり、基板２への接続に係る寸法制御が容易でないことを意味している。
【０００８】
本発明は、上述した事情に鑑みてなされたもので、嵌合ガタを吸収することが可能な光コネクタを提供することを課題とする。
【課題を解決するための手段】
【０００９】
上記課題を解決するためになされた請求項１記載の本発明の光コネクタは、一方より相手側光コネクタのハウジングが嵌合する第一ハウジングと、該第一ハウジングの他方から嵌合する第二ハウジングと、該第二ハウジングに対し直接又は間接的に装着されるＦＯＴ（Fiber Optic Transceiver ）とを備える光コネクタにおいて、前記第一ハウジングと前記第二ハウジングとの前記嵌合に係る嵌合構造は、捻り込みによってロック状態へ移行する捻り込みロック部と、前記捻り込みの最中に前記第一ハウジング及び前記第二ハウジングの引き寄せが生じ締め上げる引き寄せ締め上げ部とを含むことを特徴としている。
【００１０】
このような特徴を有する本発明によれば、第二ハウジングを第一ハウジングに対して捻り込むようにして嵌合作業を行うと、捻り込みロック部によって第二ハウジングと第一ハウジングとがロック状態になる。また、引き寄せ締め上げ部によって第二ハウジングと第一ハウジングとが寄り合ってガタ付きが吸収される。
【００１１】
請求項２記載の本発明の光コネクタは、請求項１に記載の光コネクタにおいて、前記嵌合構造は、前記捻り込みに係る方向を規制するための凹凸形状の捻り込み方向規制部を含むことを特徴としている。
【００１２】
このような特徴を有する本発明によれば、捻り込み方向規制部によって捻り込みの方向が規制される。ロック状態へ移行する正規の方向に捻り込みを行ったときだけ、第一ハウジングと第二ハウジングとの嵌合が進む。
【００１３】
請求項３記載の本発明の光コネクタは、請求項１又は請求項２に記載の光コネクタにおいて、前記嵌合構造は、前記捻り込みにより潰れが生じるリブを含むことを特徴としている。
【００１４】
このような特徴を有する本発明によれば、第二ハウジングを第一ハウジングに対して捻り込むようにして嵌合作業を行うと、リブの潰れが生じる。これによりガタ付きが防止される。
【発明の効果】
【００１５】
請求項１に記載された本発明によれば、嵌合ガタを吸収することができるという効果を奏する。これにより、容易に寸法制御を行うことができるという効果を奏する。また、請求項２に記載された本発明によれば、嵌合作業間違いを防止することができるという効果を奏する。また、請求項３に記載された本発明によれば、より確実にガタ付きを防止することができるという効果を奏する。
【発明を実施するための最良の形態】
【００１６】
以下、図面を参照しながら説明する。
図１は本発明の光コネクタの一実施の形態を示す分解斜視図、図２は斜視図である。また、図３はコネクタハウジングの斜視図、図４はコネクタハウジングの正面図、図５はコネクタハウジングの嵌合構造の斜視図、図６は光ハウジングの斜視図、図７は光ハウジングの正面図、図８は捻り込みロック部（光ハウジング側）の拡大図、図９は引き寄せ締め上げ部（光ハウジング側）の拡大図である。
【００１７】
図１及び図２において、引用符号２１は本発明の光コネクタを示している。本発明の光コネクタ２１は、車両をはじめとする各種の光ファイバ通信システムにおいて用いられるものであって、光コネクタ及び電気コネクタを一体化したハイブリッドコネクタの構成を有している。
【００１８】
具体的に、本発明の光コネクタ２１は、コネクタハウジング２２と、複数のＰＣＢ端子２３と、光ハウジング２４と、一対のスリーブ２５と、一対のレンズスリーブ２６と、発光側ＦＯＴ（Fiber Optic Transceiver ）２７及び受光側ＦＯＴ２８と、シールドケース２９とを備えて構成されている。また、本発明の光コネクタ２１は、基板（図示省略）に対して取り付けられるように構成されている。尚、図１及び図２に示される本発明の光コネクタ２１は、基板（図示省略）に対して取り付けられる前の状態を示している。この状態において、コネクタハウジング２２には、ダストキャップ３０が装着されている。以下、図１ないし図９を参照しながら上記各構成部材について説明する。
【００１９】
上記コネクタハウジング２２は、特許請求の範囲に記載した第一ハウジングに相当する部材であって、絶縁性を有する合成樹脂材料により成形されている。コネクタハウジング２２は、上壁３１と下壁３２と左右の側壁３３と後壁３４とを有している。また、コネクタハウジング２２は、前面を開口して内部に嵌合空間３５を有している。このようなコネクタハウジング２２には、電気接続部分３６と光接続部分３７とが形成されている。
【００２０】
電気接続部分３６は、接続相手となる相手側電気コネクタ（図示省略）のハウジングが嵌合する部分として形成されている。電気接続部分３６には、複数の端子保持部３８が形成されている。端子保持部３８は、後壁３４を貫通して形成されている。光接続部分３７は、接続相手となる相手側光コネクタ（図示省略）のハウジングが嵌合する部分として形成されている。光接続部分３７には、略円形に貫通する光ハウジング嵌合口３９が形成されている。光ハウジング嵌合口３９は、後壁３４に形成されている。
【００２１】
光ハウジング嵌合口３９には、コネクタハウジング２２と光ハウジング２４との嵌合に係る嵌合構造の一部が形成されている。具体的に説明すると、光ハウジング嵌合口３９には、上記嵌合構造を構成する捻り込みロック部４０の一方となる一対の第一捻り込みロック部４１と、上記嵌合構造を構成する引き寄せ締め上げ部４２の一方となる一対の第一引き寄せ締め上げ部４３とが形成されている。また、光ハウジング嵌合口３９には、上記嵌合構造を構成する捻り込み方向規制部４４の一方となる第一捻り込み方向規制部４５（図１０参照）が形成されている。
【００２２】
第一捻り込みロック部４１は、コネクタハウジング２２と光ハウジング２４とのロックを行う部分として形成されている。第一捻り込みロック部４１は、爪状の突起であって、図４に示される如く１８０゜ピッチで光ハウジング嵌合口３９の周囲に配置形成されている。
【００２３】
第一引き寄せ締め上げ部４３は、コネクタハウジング２２と光ハウジング２４との引き寄せ及び締め上げを行う部分として形成されている。第一引き寄せ締め上げ部４３は、略扇状の突起であって、図４に示される如く１８０゜ピッチで光ハウジング嵌合口３９の周囲に配置形成されている。
【００２４】
第一捻り込みロック部４１と第一引き寄せ締め上げ部４３は、９０゜ピッチで交互に配置されている。
【００２５】
第一捻り込み方向規制部４５（図１０参照）は、後壁３４の外面側に形成されている。第一捻り込み方向規制部４５（図１０参照）は、凹状に形成されている。後述するが、光ハウジング２４は捻り込みによってコネクタハウジング２２に嵌合する部材であって、この光ハウジング２４の捻り込みに係る方向を規制するために第一捻り込み方向規制部４５（図１０参照）は形成されている。
【００２６】
後壁３４の外面側には、後方へ突出するような格好で一対の基板固定部４６が形成されている。基板固定部４６は、後壁３４の左右両サイド側に形成されている。基板固定部４６は、基板（図示省略）の実装面に対して平行な面を有しており、この面には光コネクタ２１の実装の際に基板（図示省略）に差し込まれる突起４７が形成されている。基板固定部４６には、ネジ止め固定用の貫通孔４８も形成されている。
【００２７】
上記ＰＣＢ端子２３は、導電性を有する既知のＬ字状の雄端子であって、このＬ字状に曲げられた一方の部分側は、コネクタハウジング２２の端子保持部３８に差し込まれて固定されている。また、Ｌ字状に曲げられた他方の部分側は、光コネクタ２１の実装の際に基板（図示省略）に差し込まれて半田付けされるようになっている。ＰＣＢ端子２３は、コネクタハウジング２２に対して上下二段となる位置で装着されている。ＰＣＢ端子２３は、長さの異なる二種類のものが用いられている。
【００２８】
上記光ハウジング２４は、特許請求の範囲に記載した第二ハウジングに相当する部材であって、絶縁性を有する合成樹脂材料により成形されている。光ハウジング２４は、上壁４９と下壁５０と左右の側壁５１とを有している。また、光ハウジング２４は、前壁にハウジング嵌合凸部５２を有するとともに、後壁にＦＯＴ収容部５３を有している。
【００２９】
ハウジング嵌合凸部５２は、略円形の形状であって、このようなハウジング嵌合凸部５２には、光ハウジング２４とコネクタハウジング２２との嵌合に係る嵌合構造の一部が形成されている。具体的に説明すると、ハウジング嵌合凸部５２には、上記嵌合構造を構成する捻り込みロック部４０の他方となる一対の第二捻り込みロック部５４と、上記嵌合構造を構成する引き寄せ締め上げ部４２の他方となる一対の第二引き寄せ締め上げ部５５とが形成されている。
【００３０】
第二捻り込みロック部５４は、光ハウジング２４とコネクタハウジング２２とのロックを行う部分として形成されている。第二捻り込みロック部５４は、爪状の突起の第一捻り込みロック部４１を案内するとともに、この第一捻り込みロック部４１を引っ掛ける凹状の部分（図８参照）として形成されている。また、第二捻り込みロック部５４は、１８０゜ピッチでハウジング嵌合凸部５２の周囲に配置形成されている。
【００３１】
第二引き寄せ締め上げ部５５は、光ハウジング２４とコネクタハウジング２２との引き寄せ及び締め上げを行う部分として形成されている。第二引き寄せ締め上げ部５５は、略扇状の突起の第一引き寄せ締め上げ部４３を案内するとともに、この案内の際に第一引き寄せ締め上げ部４３に当接して引き寄せと締め上げの作用を生じさせる凹状の部分（図９参照）として形成されている。また、第二引き寄せ締め上げ部５５は、１８０゜ピッチでハウジング嵌合凸部５２の周囲に配置形成されている。
【００３２】
第二捻り込みロック部５４と第二引き寄せ締め上げ部５５は、９０゜ピッチで交互に配置されている。第二捻り込みロック部５４と第二引き寄せ締め上げ部５５は、第一捻り込みロック部４１と第一引き寄せ締め上げ部４３の位置に対して、光ハウジング２４の捻り込みの分だけずれて配置形成されている。
【００３３】
ハウジング嵌合凸部５２には、光ハウジング２４の後壁のＦＯＴ収容部５３まで達する一対の貫通孔５６が形成されている。貫通孔５６は、スリーブ２５とレンズスリーブ２６とを装着する部分であって、光ハウジング２４の軸方向に沿って平行に形成されている。貫通孔５６は、段部（図示省略）を有するように形成されている。
【００３４】
光ハウジング２４の前壁は、上記嵌合構造を構成する捻り込み方向規制部４４の他方となる第二捻り込み方向規制部５７としての機能を有している。第二捻り込み方向規制部５７は、コネクタハウジング２２の第一捻り込み方向規制部４５（図１０参照）に差し込まれた後に光ハウジング２４の捻り込みがあると、第一捻り込み方向規制部４５（図１０参照）の形状に従って案内されるように形成されている。
【００３５】
尚、光ハウジング２４の捻り込みを正規とは逆に行うと、第二捻り込み方向規制部５７が第一捻り込み方向規制部４５（図１０参照）の縁部に当接するようになっている。すなわち、この場合は光ハウジング２４の捻り込みができないようになっている。
【００３６】
ＦＯＴ収容部５３は、この後面側が開口するように形成されている。ＦＯＴ収容部５３には、この内部に発光側ＦＯＴ２７及び受光側ＦＯＴ２８を収容するための一対のＦＯＴ収容室５８（図１０参照）が形成されている。各ＦＯＴ収容室５８（図１０参照）は、発光側ＦＯＴ２７及び受光側ＦＯＴ２８を横に並んだ状態に配置収容することができるように形成されている。
【００３７】
各ＦＯＴ収容室５８（図１０参照）には、上記の貫通孔５６が連成されている。各ＦＯＴ収容室５８（図１０参照）とコネクタハウジング２２の嵌合空間３５は、光ハウジング２４とコネクタハウジング２２との嵌合により、貫通孔５６を介して連通するように形成されている。貫通孔５６は、発光側ＦＯＴ２７及び受光側ＦＯＴ２８の光軸の位置に合わせて形成されている。
【００３８】
各ＦＯＴ収容室５８（図１０参照）には、ＦＯＴ固定突起５９と二種類のＦＯＴ支持突起６０、６１（図１０参照）とが形成されている。また、各ＦＯＴ収容室５８（図１０参照）には、リードフレーム導出口６２（図１０参照）も複数形成されている。ＦＯＴ固定突起５９とＦＯＴ支持突起６０、６１は、発光側ＦＯＴ２７、受光側ＦＯＴ２８をガタ付きなく固定するために形成されている。
【００３９】
上記スリーブ２５は、略円筒形の金属製部材であって、光ハウジング２４の貫通孔５６に装着されるとハウジング嵌合凸部５２から一端側が突出するように形成されている。スリーブ２５は、この他端側が光ハウジング２４に当接して光ハウジング２４からの脱落が防止されるように形成されている。スリーブ２５の一端には、上記相手側光コネクタ（図示省略）のフェルールが差し込まれるようになっている。スリーブ２５の他端には、光ハウジング２４の貫通孔５６に装着されたレンズスリーブ２６の一端が差し込まれるようになっている。
【００４０】
上記レンズスリーブ２６は、光透過性を有する合成樹脂製の透明な略円柱状の部材であって、上記相手側光コネクタ（図示省略）のフェルールと、発光側ＦＯＴ２７、受光側ＦＯＴ２８との間に介在する導光部材としての機能を有している。レンズスリーブ２６の一端側は、スリーブ２５の上記他端に差し込まれる部分として形成されている。また、レンズスリーブ２６の他端側は、発光側ＦＯＴ２７、受光側ＦＯＴ２８の後述する窓６７に差し込まれる部分として形成されている。
【００４１】
上記発光側ＦＯＴ２７は、基板（図示省略）の回路に電気的に接続される複数のリードフレーム６３を有するリードフレーム部６４と、図示しない発光素子（例えばＬＤやＬＥＤ）を有するパッケージ部６５とを有している。発光素子（図示省略）は、複数のリードフレーム６３のうちの一つにマウントされている。また、発光素子（図示省略）と残りのリードフレーム６３は、電気的に接続されている。一番外側のリードフレーム６３には、固定用穴６６が複数形成されている。
【００４２】
上記受光側ＦＯＴ２８は、基板（図示省略）の回路に電気的に接続される複数のリードフレーム６３を有するリードフレーム部６４と、図示しない受光素子（例えばＰＤ）を有するパッケージ部６５とを有している。受光素子（図示省略）は、複数のリードフレーム６３のうちの一つにマウントされている。また、受光素子（図示省略）と残りのリードフレーム６３は、電気的に接続されている。一番外側のリードフレーム６３には、固定用穴６６が複数形成されている。
【００４３】
パッケージ部６５は、カバー（符号省略）を用いて図示しない発光素子、受光素子と上記の電気的な接続部分とを覆うとともに、光透過性の合成樹脂材料を上記カバー内に充填することによって、これら図示しない発光素子、受光素子と上記の電気的な接続部分とを保護するように形成されている。パッケージ部６５には、図示しない発光素子、受光素子を臨む窓６７が形成されている。発光側ＦＯＴ２７、受光側ＦＯＴ２８は、ＦＯＴ収容室５８（図１０参照）に収容されると、固定用穴６６にＦＯＴ固定突起５９が圧入されて、また、ＦＯＴ支持突起６０、６１によりパッケージ部６５が挟み込まれ支持されて、ＦＯＴ収容室５８（図１０参照）からの脱落が阻止されるようになっている。発光側ＦＯＴ２７、受光側ＦＯＴ２８は、窓６７にレンズスリーブ２６の他端側が差し込まれるようになっている。
【００４４】
上記シールドケース２９は、導電性を有する金属薄板をプレス加工することにより形成されている。シールドケース２９は、各ＦＯＴ収容室５８（図１０参照）に収容固定された発光側ＦＯＴ２７、受光側ＦＯＴ２８を覆って、これらに電磁ノイズ対策を施すことができるように形成されている。シールドケース２９は、ケース本体６８と、このケース本体６８に連続するとともに、連続部分を折り曲げてケース本体６８の開口部分を覆う蓋部６９とを有している。ケース本体６８には、光コネクタ２１の実装の際に基板（図示省略）に差し込まれる突起（グランドピン等）７０が複数形成されている。
【００４５】
上記ダストキャップ３０は、例えば光コネクタ２１を基板（図示省略）に実装するまでの間、レンズスリーブ２６の一端にゴミや埃等が付着しないようにするための部材であって、ゴム等の柔軟性を有する着脱し易い材料によって図示のような形状に形成されている。
【００４６】
次に、本発明の光コネクタ２１の組み立てのうち、コネクタハウジング２２と光ハウジング２４との嵌合に係る部分の組み立てについて説明する。説明は、上記構成に基づいてするものとし、図１０ないし図１９を参照する。
【００４７】
図１０は嵌合前の状態説明図、図１１は嵌合途中の状態説明図、図１２（ａ）は嵌合途中の状態をコネクタハウジングの正面側から見た図、図１２（ｂ）は図１２（ａ）の要部拡大図、図１３は嵌合後の状態説明図である。また、図１４〜図１９は嵌合過程の説明図である。尚、ＰＣＢ端子２３、スリーブ２５、レンズスリーブ２６、発光側ＦＯＴ２７、受光側ＦＯＴ２８、シールドケース２９の図示は便宜上省略してあるものとする。
【００４８】
図１０において、コネクタハウジング２２の後方に光ハウジング２４をセットし、先ず、光ハウジング２４のハウジング嵌合凸部５２をコネクタハウジング２２の光ハウジング嵌合口３９に差し込む作業を行う。
【００４９】
この時、コネクタハウジング２２の第一捻り込みロック部４１、第一引き寄せ締め上げ部４３、第一捻り込み方向規制部４５の配置及び形状と、光ハウジング２４の第二捻り込みロック部５４、第二引き寄せ締め上げ部５５、第二捻り込み方向規制部５７の配置及び形状との関係があることから、光ハウジング２４を図１１に示す如く傾けながら作業を行う。
【００５０】
光ハウジング２４を傾けながらこのハウジング嵌合凸部５２をコネクタハウジング２２の光ハウジング嵌合口３９に差し込むと、捻り込みロック部４０（第一捻り込みロック部４１、第二捻り込みロック部５４）及び引き寄せ締め上げ部４２（第一引き寄せ締め上げ部４３、第二引き寄せ締め上げ部５５）は、図１２に示す如くの状態になる。
【００５１】
続いて、この状態から傾いた光ハウジング２４を図１１及び図１３の矢印方向に捻り込む作業を行う。矢印方向の捻り込み作業によって第一捻り込みロック部４１は、第二捻り込みロック部５４に案内されつつ第二捻り込みロック部５４に引っ掛かる。これにより、コネクタハウジング２２と光ハウジング２４はロック状態になる。
【００５２】
図１４ないし図１６を参照しながらもう少し詳しく説明すると、先ず、ハウジング嵌合凸部５２を光ハウジング嵌合口３９に差し込んだ状態において、第一捻り込みロック部４１は、図１４に示す如くの位置に存在する。すなわち、第一捻り込みロック部４１は、第二捻り込みロック部５４の横に位置する。この時、テーパを有する爪状の突起となる第一捻り込みロック部４１の上記テーパは、第二捻り込みロック部５４の凹状部分手前の凸部におけるテーパに対して重なるような位置に存在する。
【００５３】
次に、上記矢印方向の捻り込み作業によって、第一捻り込みロック部４１は、図１５に示す如く第二捻り込みロック部５４の上記凸部を乗り越える。そして、上記凸部を乗り越えると、第一捻り込みロック部４１は、図１６に示す如く第二捻り込みロック部５４の上記凹状部分に引っ掛かる。これにより、コネクタハウジング２２と光ハウジング２４はロック状態になる。
【００５４】
一方、矢印方向の捻り込み作業によって第一引き寄せ締め上げ部４３は、第二引き寄せ締め上げ部５５に案内されつつ第二引き寄せ締め上げ部５５に当接し、引き寄せと締め上げの作用が生じる。これにより、コネクタハウジング２２と光ハウジング２４とが寄り合い、捻り込みロック部４０の嵌合ガタは吸収された状態になる。
【００５５】
図１７ないし図１９を参照しながらもう少し詳しく説明すると、先ず、ハウジング嵌合凸部５２を光ハウジング嵌合口３９に差し込んだ状態において、第一引き寄せ締め上げ部４３は、図１７に示す如くの位置に存在する。すなわち、第一引き寄せ締め上げ部４３は、第二引き寄せ締め上げ部５５の横に位置する。
【００５６】
次に、上記矢印方向の捻り込み作業によって、第一引き寄せ締め上げ部４３は、図１８に示す如く第二引き寄せ締め上げ部５５に案内される。そして、図１９に示す如く第一引き寄せ締め上げ部４３の斜面と第二引き寄せ締め上げ部５５の斜面との当接により、捻り込み方向の力がこれに略直交する方向の力に変換される。この結果、引き寄せと締め上げの作用が生じる。これにより、コネクタハウジング２２と光ハウジング２４とが寄り合い、捻り込みロック部４０の嵌合ガタは吸収された状態になる。
【００５７】
以上、図１ないし図１９を参照しながら説明してきたように、本発明の光コネクタ２１によれば、上記嵌合構造を有することから、コネクタハウジング２２と光ハウジング２４の嵌合ガタを吸収することができる。従って、基板（図示省略）に対しての寸法制御を容易に行うことができる。
【００５８】
続いて、図２０及び図２１を参照しながら本発明の光コネクタの他の一実施の形態を説明する。図２０は他の一実施の形態を示す分解斜視図、図２１は光コネクタの斜視図である。尚、上述の形態と基本的に同じ構成部材については同一の符号を付して説明を省略する。
【００５９】
図２０及び図２１において、他の一実施の形態となる本発明の光コネクタ８１は、コネクタハウジング２２と、複数のＰＣＢ端子２３と、フェルールハウジング８２（第二ハウジング）と、カバー８３と、スプリング８４と、一対のスリーブ２５と、一対の導光部材８５と、ＦＯＴケース８６と、ホルダー８７と、発光側ＦＯＴ２７及び受光側ＦＯＴ２８と、シールドケース２９とを備えて構成されている。本発明の光コネクタ８１は、ピッグテールタイプのハイブリッドコネクタであって、上述の形態と同様、基板（図示省略）に対して取り付けられるように構成されている。
【００６０】
上記導光部材８５は、光ファイバケーブル８８と、この両端末に取り付けられるフェルール８９、９０とを備えて構成されている。上記フェルールハウジング８２は、第二捻り込み方向規制部５７の機能を有する前壁に、第二捻り込みロック部５４及び第二引き寄せ締め上げ部５５を有するハウジング嵌合凸部５２が形成されている。スリーブ２５と導光部材８５のフェルール８９は、フェルールハウジング８２の内部に装着されるようになっている。フェルールハウジング８２の内部に装着されたフェルール８９は、スプリング８４によって保持されている。カバー８３は、スプリング８４によって保持されたフェルール８９の上部を覆うことができるように形成されている。ＦＯＴケース８６は、導光部材８５のフェルール９０を保持する差し込み保持部９１と、ＦＯＴ収容部５３とを有している。差し込み保持部９１には、差し込まれたフェルール９０を保持するホルダー８７に対しての嵌合部９２が形成されている。
【００６１】
上記構成において、フェルールハウジング８２は、コネクタハウジング２２に対して上述の形態と同様に嵌合することができるようになっている。従って、本発明の光コネクタ８１は、上述の形態と同様に嵌合ガタを吸収することができる。
【００６２】
続いて更に、図２２及び図２３を参照しながら本発明の光コネクタの他の一実施の形態を説明する。図２２はコネクタハウジング（第一ハウジング）の背面図、図２３はフェルールハウジング（第二ハウジング）の斜視図である。尚、上述の形態と基本的に同じ構成部材については同一の符号を付して説明を省略する。
【００６３】
図２２において、第一ハウジングとしてのコネクタハウジング１０１には、光ハウジング嵌合口１０２が形成されている。この光ハウジング嵌合口１０２は、コネクタハウジング１０１の後壁に形成されている。光ハウジング嵌合口１０２は、複数の端子保持部３８の隣に配置形成されている。光ハウジング嵌合口１０２には、嵌合構造を構成する捻り込みロック部４０の一方となる一対の第一捻り込みロック部４１と、嵌合構造を構成する引き寄せ締め上げ部４２の一方となる一対の第一引き寄せ締め上げ部４３とが形成されている。また、光ハウジング嵌合口１０２には、嵌合構造を構成する捻り込み方向規制部４４の一方となる第一捻り込み方向規制部４５が形成されている。一対の第一捻り込みロック部４１、一対の第一引き寄せ締め上げ部４３、及び第一捻り込み方向規制部４５は、上述の形態と同様の位置に配置形成されている。
【００６４】
コネクタハウジング１０１の後壁の外面側には、一対の凹部１０３が形成されている。一対の凹部１０３は、それぞれ第一捻り込みロック部４１と第一引き寄せ締め上げ部４３との間に形成されている。より具体的には、第一引き寄せ締め上げ部４３に近い側の位置に形成されている。一対の凹部１０３は、後述する一対のリブ１０６の差し込みが可能な大きさに形成されている。
【００６５】
図２３において、第二ハウジングとしてのフェルールハウジング１０４には、ハウジング嵌合凸部１０５が形成されている。このハウジング嵌合凸部１０５は、フェルールハウジング１０４の前壁に形成されている。ハウジング嵌合凸部１０５には、一対の第二捻り込みロック部５４と、一対の第二引き寄せ締め上げ部５５とが形成されている。一対の第二捻り込みロック部５４は、嵌合構造を構成する捻り込みロック部４０の他方となる部分として形成されている。一対の第二引き寄せ締め上げ部５５は、嵌合構造を構成する引き寄せ締め上げ部４２の他方となる部分として形成されている。一対の第二捻り込みロック部５４と一対の第二引き寄せ締め上げ部５５は、上述の形態と同様の位置に配置されている。
【００６６】
このようなハウジング嵌合凸部１０５には、一対のリブ１０６が形成されている。一対のリブ１０６は、それぞれ第二捻り込みロック部５４と第二引き寄せ締め上げ部５５との間に形成されている。より具体的には、第二引き寄せ締め上げ部５５に近い側の位置に形成されている。一対のリブ１０６は、潰れやすい微小な突条となるように形成されている。
【００６７】
フェルールハウジング１０４の前壁は、嵌合構造を構成する捻り込み方向規制部４４の他方となる機能を有している。すなわち、第二捻り込み方向規制部５７としての機能を有している。フェルールハウジング１０４の用途は、上述のフェルールハウジング８２（図２０参照）と同じであるものとする。
【００６８】
本形態では、コネクタハウジング１０１に一対の凹部１０３を、また、フェルールハウジング１０４に一対のリブ１０６を形成していることから、コネクタハウジング１０１とフェルールハウジング１０４との嵌合に係る部分の組み立ては次のような作用が含まれる。
【００６９】
すなわち、ハウジング嵌合凸部１０５を光ハウジング嵌合口１０２に対して差し込み、上述同様の差し込み作業を行えば、各リブ１０６は対応する凹部１０３に収納される。その後、フェルールハウジング１０４を上述同様の方向へ捻り込んで作業を進めれば、各リブ１０６は光ハウジング嵌合口１０２の壁部によって押し潰される。各リブ１０６に潰れが生じると、各リブ１０６の部分において光ハウジング嵌合口１０２とハウジング嵌合凸部１０５との密着状態（ガタ付きのない状態）が形成される。捻り込み作業が完了すると、コネクタハウジング１０１とフェルールハウジング１０４とがロック状態になるとともに、引き寄せと締め上げの作用が生じる。
【００７０】
以上、図２２及び図２３を参照しながら説明してきたように、嵌合ガタを上述の形態と同様に吸収することができる。また、コネクタハウジング１０１とフェルールハウジング１０４とのガタ付きをリブ１０６の潰れによって確実に防止することができる。
【００７１】
図２２、図２３中の引用符号１０７、１０８は捻り込み方向を規制することが可能な凹部とリブを示している。一対の凹部１０７は、ガタ付き防止用の凹部１０３の隣に形成されている。また、一対のリブ１０８は、ガタ付き防止用のリブ１０６の隣に形成されている。一対のリブ１０８は、潰れが生じないような硬さを有するサイズに形成されている。本形態では、一対の凹部１０７及び一対のリブ１０８を捻り込み方向規制部４４の代替構造として挙げている（設定は任意であるものとする）。作用について説明すると、一対のリブ１０８が凹部１０７と嵌合し、フェルールハウジング１０４を時計回りに回転させた時、リブ１０８が山部（隣り合う凹部１０３と１０７の境界にできる山部）を乗り越えて凹部１０３へ移動する。反時計回りに回転させた時には、光ハウジング嵌合口１０２の壁部にリブ１０８が当たり回転が阻止され、捻り込みの作業ができないようになっている。
【００７２】
その他、本発明は本発明の主旨を変えない範囲で種々変更実施可能なことは勿論である。
【図面の簡単な説明】
【００７３】
【図１】本発明の光コネクタの一実施の形態を示す分解斜視図である。
【図２】光コネクタの斜視図である。
【図３】コネクタハウジング（第一ハウジング）の斜視図である。
【図４】コネクタハウジングの正面図である。
【図５】コネクタハウジングの嵌合構造の斜視図である。
【図６】光ハウジング（第二ハウジング）の斜視図である。
【図７】光ハウジングの正面図である。
【図８】捻り込みロック部（光ハウジング側）の拡大図である。
【図９】引き寄せ締め上げ部（光ハウジング側）の拡大図である。
【図１０】嵌合前の状態説明図である。
【図１１】嵌合途中の状態説明図である。
【図１２】（ａ）は嵌合途中の状態をコネクタハウジングの正面側から見た図、（ｂ）は（ａ）の要部拡大図である。
【図１３】嵌合後の状態説明図である。
【図１４】捻り込みロック部のロック前の説明図である。
【図１５】捻り込みロック部のロック中の説明図である。
【図１６】捻り込みロック部のロック後の説明図である。
【図１７】引き寄せ締め上げ部の引き寄せ前の説明図である。
【図１８】引き寄せ締め上げ部の引き寄せ直前の説明図である。
【図１９】引き寄せ締め上げ部の引き寄せ締め上げ後の説明図である。
【図２０】本発明の光コネクタの他の一実施の形態を示す分解斜視図である。
【図２１】光コネクタの斜視図である。
【図２２】コネクタハウジング（第一ハウジング）の背面図である。
【図２３】フェルールハウジング（第二ハウジング）の斜視図である。
【図２４】従来例のハイブリッドコネクタの分解斜視図である。
【符号の説明】
【００７４】
２１  光コネクタ
２２  コネクタハウジング（第一ハウジング）
２３  ＰＣＢ端子
２４  光ハウジング（第二ハウジング）
２５  スリーブ
２６  レンズスリーブ
２７  発光側ＦＯＴ
２８  受光側ＦＯＴ
２９  シールドケース
３０  ダストキャップ
３５  嵌合空間
３６  電気接続部分
３７  光接続部分
３９  光ハウジング嵌合口
４０  捻り込みロック部
４１  第一捻り込みロック部
４２  引き寄せ締め上げ部
４３  第一引き寄せ締め上げ部
４４  捻り込み方向規制部
４５  第一捻り込み方向規制部
５２  ハウジング嵌合凸部
５３  ＦＯＴ収容部
５４  第二捻り込みロック部
５５  第二引き寄せ締め上げ部
５７  第二捻り込み方向規制部
５８  ＦＯＴ収容室
６３  リードフレーム
６４  リードフレーム部
６５  パッケージ部
６６  固定用穴
６８  ケース本体
６９  蓋部
８１  光コネクタ
８２  フェルールハウジング（第二ハウジング）
８３  カバー
８４  スプリング
８５  導光部材
８６  ＦＯＴケース
８７  ホルダー
８８  光ファイバケーブル
８９、９０  フェルール
１０１  コネクタハウジング（第一ハウジング）
１０２  光ハウジング嵌合口
１０３  凹部
１０４  フェルールハウジング（第二ハウジング）
１０５  ハウジング嵌合凸部
１０６  リブ
【図１】
2006251762.tif 000003
【図２】
2006251762.tif 000004
【図３】
2006251762.tif 000005
【図４】
2006251762.tif 000006
【図５】
2006251762.tif 000007
【図６】
2006251762.tif 000008
【図７】
2006251762.tif 000009
【図８】
2006251762.tif 000010
【図９】
2006251762.tif 000011
【図１０】
2006251762.tif 000012
【図１１】
2006251762.tif 000013
【図１２】
2006251762.tif 000014
【図１３】
2006251762.tif 000015
【図１４】
2006251762.tif 000016
【図１５】
2006251762.tif 000017
【図１６】
2006251762.tif 000018
【図１７】
2006251762.tif 000019
【図１８】
2006251762.tif 000020
【図１９】
2006251762.tif 000021
【図２０】
2006251762.tif 000022
【図２１】
2006251762.tif 000023
【図２２】
2006251762.tif 000024
【図２３】
2006251762.tif 000025
【図２４】
2006251762.tif 000026